(57)【要約】【課題】  特性が余り鋭くないＳＡＷフィルタを使用していても、各地上デジタル放送信号のレベルを調整できるようにする。【解決手段】  隣接チャンネルの周波数関係にあるＯＦＭＤ変調された複数の入力地上デジタル放送信号を、周波数変換装置６ａ乃至６ｃによって出力地上デジタル放送信号に周波数変換する。周波数変換装置６ａ乃至６ｃは、出力地上波デジタル放送信号の周波数関係を、入力地上デジタル放送信号の周波数関係と同じ周波数関係を維持するように、構成され、周波数変換装置６ａ乃至６ｃは、それぞれ減衰器２６ａ乃至２６ｃを有している。【選択図】        図１
2005027241.tif 000002
【特許請求の範囲】
【請求項１】
隣接チャンネルの周波数関係にある直交周波数分割多重変調された複数の地上デジタル放送信号を、前記地上デジタル放送信号ごとにレベル調整する複数のレベル調整手段と、
これらレベル調整手段から出力されたレベル調整された前記各地上デジタル放送信号を合成する合成手段とを、
具備する地上デジタル放送信号処理装置。
【請求項２】
請求項１記載の地上デジタル放送信号処理装置において、前記各レベル調整手段は、前記地上デジタル放送信号ごとに設けられた複数の周波数変換手段にそれぞれ設けられ、これら複数の周波数変換手段は、これらが出力する変換後地上デジタル放送信号の周波数関係を、これらに入力される変換前地上デジタル放送信号の周波数関係と同じ周波数関係を維持するように、構成されている地上デジタル放送信号処理装置。
【請求項３】
請求項２記載の地上デジタル放送信号処理装置において、前記各周波数変換手段は、周波数帯域制限用フィルタを備えている地上デジタル放送信号処理装置。
【請求項４】
請求項２または３記載の地上デジタル放送信号処理装置において、前記各周波数変換手段は、同一の局部発振器からの局部発振信号に基づいて周波数変換する地上デジタル放送信号処理装置。
【請求項５】
請求項３記載の地上デジタル放送信号処理装置において、前記各周波数変換手段は、入力された地上デジタル放送信号を、それぞれ同一周波数の中間周波信号に入力側周波数変換手段によって周波数変換し、この中間周波数信号を前記周波数帯域制限用フィルタで処理し、この処理済みの中間周波信号を、それぞれ出力側周波数変換手段で処理する地上デジタル放送信号処理装置。
【請求項６】
請求項３、４または５記載の地上デジタル放送信号処理装置において、前記周波数帯域制限用フィルタの特性が、中心周波数の上下約３．２MHｚ離れた周波数から外側の周波数において、前記中心周波数における減衰量よりも最大で約２５ｄB低下した減衰量を持つ領域を有するものである地上デジタル放送信号処理装置。
【発明の詳細な説明】
【技術分野】
【０００１】
本発明は、隣接チャンネルの周波数関係にある地上デジタル放送信号のレベルを調整する地上デジタル放送信号処理装置に関する。
【背景技術】
【０００２】
複数の地上アナログ放送信号を共同受信施設に伝送する場合、ヘッドエンドにおいて各地上アナログ放送信号のレベルを調整するために、各地上アナログ放送信号に対応してテレビシグナルプロセッサが使用されている（非特許文献１）。このプロセッサでは、対応する地上アナログ放送信号を受信周波数変換部において中間周波信号に周波数変換する。この中間周波信号は中間周波信号処理部において増幅された後、映像用バンドパスフィルタにおいて映像信号が取り出され、その一部が自動利得制御回路によって処理され、映像信号のレベルが一定に保たれる。音声信号は音声用バンドパスフィルタで取り出され、リミッタ回路でレベルが一定に維持され、映像・音声搬送波比を設定するレベル可変回路を通して、合成回路に供給される。合成回路において、映像信号と音声信号とが合成され、高周波変換部において周波数変換される。中間周波信号処理部では、帯域外減衰特性や群遅延時間特性を劣化させないように中間周波信号を取り出すため、バンドパスフィルタにはＳＡＷ（表面弾性波）フィルタを使用している。
【０００３】
【非特許文献１】（社）日本電子機械工業会  ＣＡＴＶ技術委員会編  ケーブルテレビ技術入門  初版  コロナ社  １９９４年４月２０日発行  第８９頁第１５行目乃至第９１頁第４行目
【発明の開示】
【発明が解決しようとする課題】
【０００４】
このような地上アナログ放送信号は、映像信号と音声信号とにそれぞれ１つの搬送波を持っており、これら搬送波はＭＨｚ単位で離隔しているので、これらを分離するためのバンドパスフィルタは、比較的容易に、かつ安価に製造することができる。ところで、まもなく地上デジタル放送が開始される。この地上デジタル放送では、直交周波数分割多重変調（ＯＦＤＭ）が採用されている。ＯＦＤＭ信号は、マルチキャリアであって、各チャンネルの隣接間隔は約０．４ＭＨｚであるので、特に隣接チャンネルで伝送されている地上デジタル放送信号を容易に分離することは困難であり、高価なフィルタが必要であった。
【０００５】
本発明は、妨害波と希望波とが同一信号であるものが合成される同一信号の合成効果とＯＦＤＭ信号に遅延波対策として設けられているガードインターバルとを利用して、各地上デジタル放送信号のレベルを調整する地上デジタル放送信号処理装置を提供することを目的とする。
【課題を解決するための手段】
【０００６】
本発明による地上デジタル放送信号処理装置は、隣接チャンネルという周波数関係にある直交周波数分割多重変調された複数の地上デジタル放送信号を、前記地上デジタル放送信号ごとにレベル調整手段がレベル調整する。これらレベル調整手段から出力されたレベル調整済みの各地上デジタル放送信号が合成手段によって合成される。
【０００７】
地上デジタル放送信号ごとにレベル調整手段でレベル調整を行うために、各地上デジタル放送信号を分離する。この分離時に、隣接する地上デジタル放送信号を完全に分離できず、隣接地上デジタル放送信号が残留していることがある。このような状態で合成すると、残留していた隣接地上デジタル放送信号と元の地上デジタル放送信号とが合成されるので、残留していた隣接地上デジタル放送信号が妨害波となることがある。この妨害波は、元の地上デジタル放送信号の一部であり、同一信号の合成であることから妨害を与えにくい。また、残留していた隣接地上デジタル放送信号と元の地上デジタル放送信号の遅延時間についてはマルチパスによる妨害波の遅延時間と同様に考えられる。地上デジタル放送信号には、マルチパス対策としてガードインターバルが設けられているので、この妨害波の影響を受けない。
【０００８】
上記の態様において、前記各レベル調整手段を、前記地上デジタル放送信号ごとに設けられた複数の周波数変換手段にそれぞれ設けることもできる。これら複数の周波数変換手段は、これらが出力する変換後地上デジタル放送信号の周波数関係を、これらに入力される変換前地上デジタル放送信号の周波数関係と同じ周波数関係を維持するように、構成されている。例えば、変換前の複数の地上デジタル放送信号の隣接するもの間の周波数差が予め定めた値であるとすると、変換後の複数の地上デジタル放送信号の隣接するもの間の周波数差も、上記予め定めた値である。
【０００９】
このように周波数変換した場合でも、変換後の複数の地上デジタル放送信号の周波数関係が、変換前の複数の地上デジタル放送信号の周波数関係と同じであれば、変換後の妨害波と元の地上デジタル放送信号とは同一信号であり、かつ妨害波はマルチパス波と同様に扱えるので、妨害波の影響を受けることがほとんど無くなる。
【００１０】
更に、前記各周波数変換手段は、周波数帯域制限用フィルタを備えたものにできる。このフィルタとしては、例えばＳＡＷフィルタを使用することができる。
【００１１】
周波数帯域制限用フィルタに、隣接チャンネルの地上デジタル放送信号を完全に除去できないものを使用した結果、隣接残留信号が残っていて、そのまま合成したとしても、隣接残留信号の影響は、隣接残留信号と元の地上波デジタル放送信号とが同一信号であることと、ガードインターバルが設けられていることにより、軽減することができる。
【００１２】
前記各周波数変換手段は、同一の局部発振器からの局部発振信号に基づいて周波数変換するものにできる。この場合、周波数変換手段は、受信した地上デジタル放送信号を中間周波信号に変換する入力側周波数変換手段と、この中間周波信号を出力地上放送信号に変換する出力側周波数変換手段とを、備えるものとすることもできる。この場合、周波数帯域制限用フィルタは、中間周波信号を通過帯域とする。
【００１３】
前記各周波数変換手段は、入力された地上デジタル放送信号を、それぞれ同一周波数の中間周波信号に入力側周波数変換手段によって周波数変換するものとできる。この場合、この中間周波数信号を前記周波数帯域制限用フィルタで処理し、この処理済みの中間周波信号を、それぞれ出力側周波数変換手段で処理する。
【００１４】
周波数帯域制限用フィルタは、中心周波数の上下約３．２MHｚ離れた周波数から外側の周波数において、中心周波数における減衰量よりも最大で約２５ｄB低下させた減衰量を持つ領域を備えた特性のものであることが望ましい。減衰量は最大で約２５ｄBであるので、２５ｄBよりも小さく、例えば２０ｄB低下させた減衰量であっても良い。この減衰量を持つ周波数領域は、中心周波数から上下に約３．２MHｚ離れた周波数から直ちに存在していることが望ましい。
【発明の効果】
【００１５】
以上のように、本発明によれば、同一信号である希望波と妨害波との合成効果と、地上デジタル放送信号のガードインターバルとを利用して、妨害波の影響を軽減できるので、低コストで各地上デジタル放送信号のレベル調整を行うことができる。
【発明を実施するための最良の形態】
【００１６】
本発明の第１実施形態の地上デジタル放送信号処理装置は、例えばヘッドエンドに設置され、隣接する複数の地上デジタル放送信号それぞれのレベル調整を行うためのものである。
【００１７】
図１に示すように、この地上デジタル放送信号処理装置は、入力端子２を有している。この入力端子２には、複数の隣接地上デジタル放送信号、例えば図２に示すように、３波の隣接する地上デジタル放送信号１４ｃｈ、１５ｃｈ、１６ｃｈが入力されている。これら地上デジタル放送信号は、直交周波数分割多重変調（ＯＦＭＤ）されたものである。これら３波の地上デジタル放送信号は、分配器４によって、各周波数変換手段、例えば周波数変換装置６ａ、６ｂ、６ｃに供給される。
【００１８】
周波数変換装置６ａ、６ｂ、６ｃでは、入力側信号選択手段、例えばバンドパスフィルタ８ａ、８ｂ、８ｃによって、所定の地上デジタル放送信号を選択する。例えばバンドパスフィルタ８ａは、地上デジタル放送信号１４ｃｈを、バンドパスフィルタ８ｂは、同１５ｃｈを、バンドパスフィルタ８ｃは、同１６ｃｈを選択する。
【００１９】
各バンドパスフィルタ８ａ、８ｂ、８ｃの出力信号は、増幅器１０ａ、１０ｂ、１０ｃによってそれぞれ増幅され、入力側ミキサ１２ａ、１２ｂ、１２ｃに供給される。増幅器１０ａ、１０ｂ、１０ｃは、自動利得制御機能を備えたものであっても良いし、固定利得のものであってもよい。
【００２０】
各入力側ミキサ１２ａ、１２ｂ、１２ｃには、入力側局部発振器１４から同一の局部発振信号が供給され、ミキサ１２ａは地上デジタル放送信号１４ｃｈを中心周波数が４４ＭＨｚの中間周波信号ＩＦ１に、ミキサ１２ｂは地上デジタル放送信号１５ｃｈを中心周波数が５０ＭＨｚの中間周波信号ＩＦ２に、ミキサ１２ｃは地上デジタル放送信号１６ｃｈを中心周波数が５６ＭＨｚの中間周波信号ＩＦ３に、それぞれ周波数変換する（図２参照）。同一の局部発振信号を各ミキサ１２ａ、１２ｂ、１２ｃに共通に供給しているので、各地上デジタル放送信号１４ｃｈ、１５ｃｈ、１６ｃｈの周波数関係は、中間周波信号ＩＦ１、ＩＦ２、ＩＦ３に変換された後も維持されている。上記の周波数変換は、下側局部発振信号を使用した場合であるが、上側局部発振信号を使用しても良い。この場合、地上デジタル放送信号１４ｃｈを５６MHzの、地上デジタル放送信号１５ｃｈを５０MHｚの、地上デジタル放送信号１６ｃｈを４４MHｚのそれぞれ中間周波信号に変換する。
【００２１】
これら各中間周波信号は、帯域制限用フィルタ、例えばＳＡＷフィルタ１６ａ、１６ｂ、１６ｃに供給されている。これらＳＡＷフィルタ１６ａ、１６ｂ、１６ｃは、例えば図３に示すように、中心周波数から上下に２．８１ＭＨｚ離れた周波数範囲の信号は、約１ｄＢ減衰させるが、中心周波数から上下に約３．２ＭＨｚ以上離れた信号から上下に中心周波数からそれぞれ約４．１ＭＨｚまで離れた範囲の信号は約２５ｄＢ減衰させ、それ以上離れた信号は約４０ｄＢ減衰させるものである。この特性は、余りシャープな特性のものではなく、比較的安価に製造することができる。なお、このような特性を持つＳＡＷフィルタは、１００ＭＨｚ以下の周波数帯で容易に製造できるので、上述したような周波数の中間周波信号ＩＦ１、ＩＦ２、ＩＦ３に周波数変換が行われている。
【００２２】
図４に示すＳＡＷフィルタの特性は、通常、隣接チャンネルで伝送が行われている場合に、隣接チャンネルの影響を除去するために使用するためのもので、中心周波数から上下に２．８１ＭＨｚ離れた周波数範囲の信号は、約０．５ｄＢ減衰させるが、中心周波数から上下に３．２ＭＨｚ以上離れた信号から、中心周波数から上下に４．１ＭＨｚまで離れた範囲の信号は約４０ｄＢ減衰させ、それ以上離れた信号は約５０ｄＢ減衰させるものである。このようなシャープな特性を持つＳＡＷフィルタは、図３に示す特性のものよりも格段に高価である。
【００２３】
各ＳＡＷフィルタ１６ａ、１６ｂ、１６ｃの特性が上述したようなものであるので、各ＳＡＷフィルタ１６ａ、１６ｂ、１６ｃの特性と、各中間周波信号の周波数帯とを重ねて描くと、図５（ａ）に示すようになり、例えばＳＡＷフィルタ１６ｂの出力信号は、図５（ｂ）に示すように下隣接信号であるＩＦ１の一部と、上隣接信号であるＩＦ３の一部とを含んだものとなる。同様に図示していないが、ＳＡＷフィルタ１６ａの出力信号は、上隣接信号であるＩＦ２の一部を含み、ＳＡＷフィルタ１６ｃの出力信号は下隣接信号であるＩＦ２の一部を含んでいる。
【００２４】
各ＳＡＷフィルタ１６ａ、１６ｂ、１６ｃの出力信号は、増幅器１８ａ、１８ｂ、１８ｃにおいて増幅される。これら増幅器１８ａ、１８ｂ、１８ｃも自動利得制御機能を備えたものであっても良いし、固定利得のものであってもよい。いずれにしても、各ＳＡＷフィルタ１６ａ、１６ｂ、１６ｃの出力信号は、それぞれレベルが一定になるように増幅される。
【００２５】
これら増幅器１８ａ、１８ｂ、１８ｃの出力信号は、出力側ミキサ２０ａ、２０ｂ、２０ｃに供給される。これら出力側ミキサ２０ａ、２０ｂ、２０ｃには、出力側局部発振器２２から同一周波数の出力側局部発振信号が共通に供給されている。これによって、出力側ミキサ２０ａは中間周波信号ＩＦ１をミッドバンド帯の出力信号Ｃ１４ｃｈに、出力側ミキサ２０ｂは中間周波信号ＩＦ２を出力信号Ｃ１５ｃｈに、出力側ミキサ２０ｃは中間周波信号ＩＦ３を出力信号Ｃ１６ｃｈに、それぞれ周波数変換する（図２参照）。共通の出力側局部発振信号を使用しているので、出力信号Ｃ１４ｃｈ乃至Ｃ１６ｃｈの周波数関係は、入力地上デジタル放送信号１４ｃｈ乃至１６ｃｈと同一である。なお、入力側での周波数変換と同様に、局部発振信号として上側局部発振信号を使用することもできる。
【００２６】
出力信号Ｃ１４ｃｈは、元の中間周波信号ＩＦ１と、中間周波信号ＩＦ２の一部の隣接残留信号とを周波数変換したものであり、出力信号Ｃ１５ｃｈは、元の中間周波信号ＩＦ２と、中間周波信号ＩＦ１の一部である隣接残留信号と、中間周波信号ＩＦ３の一部である隣接残留信号とを、周波数変換したものであり、出力信号Ｃ１６ｃｈは、元の中間周波信号ＩＦ３と、中間周波信号ＩＦ２の一部である隣接残留信号とを、周波数変換したものである。
【００２７】
これら出力信号は、それぞれ対応するバンドパスフィルタ２４ａ、２４ｂ、２４ｃに供給され、ミキサ２０ａ、２０ｂ、２０ｃによって発生した不要なイメージ信号や、局部発振信号が遮断される。バンドパスフィルタ８ａ乃至８ｃもそれぞれ不要な信号を遮断するためのものである。従って、これらバンドパスフィルタ８ａ乃至８ｃ、２４ａ乃至２４ｃの周波数特性は、ＳＡＷフィルタ１６ａ乃至１６ｃと比較して鋭くなくてもよい。
【００２８】
これらバンドパスフィルタ２４ａ乃至２４ｃの出力信号は、それぞれ対応する減衰器２６ａ、２６ｂ、２６ｃによってレベル調整が行われた後、増幅器２８ａ、２８ｂ、２８ｃによって増幅され、合成器３０によって合成され、出力端子３２に供給される。上述した各増幅器１０ａ乃至１０ｃ、１８ａ乃至１８ｃ、２８ａ乃至２８ｃ及び減衰器２６ａ乃至２６ｃのうち少なくとも１つがレベル調整手段として機能する。
【００２９】
上述したように、出力信号Ｃ１４ｃｈは、元の中間周波信号ＩＦ１と、中間周波信号ＩＦ２の一部の隣接残留信号とを周波数変換したものであり、出力信号Ｃ１５ｃｈは、元の中間周波信号ＩＦ２と、中間周波信号ＩＦ１の一部である隣接残留信号と、中間周波信号ＩＦ３の一部である隣接残留信号とを、周波数変換したものであり、出力信号Ｃ１６ｃｈは、元の中間周波信号ＩＦ３と、中間周波信号ＩＦ２の一部である隣接残留信号とを、周波数変換したものである。従って、合成器３０の出力信号の周波数特性は、図５（ｃ）に示すようになる。
【００３０】
即ち、希望波である出力信号Ｃ１４ｃｈの上側周波数帯には、中間周波信号ＩＦ２に含まれていた隣接残留信号を周波数変換した妨害波が存在し、希望波である出力信号Ｃ１５ｃｈの下側及び上側周波数帯には、中間周波信号ＩＦ１に含まれていた隣接残留信号を周波数変換した妨害波と中間周波信号ＩＦ３に含まれていた隣接残留信号を周波数変換した妨害波が存在し、希望波である出力信号Ｃ１６ｃｈの下側周波数帯には、中間周波信号ＩＦ２に含まれていた隣接残留信号を周波数変換した妨害波が存在している。このように、希望波である各出力信号Ｃ１４ｃｈ、Ｃ１５ｃｈ、Ｃ１６ｃｈには、それぞれ幾分レベルの低い妨害波が含まれている。しかし、同一周波数の入力側局部発振信号と、同一周波数の出力側局部発振信号とを使用して各出力信号Ｃ１４ｃｈ、Ｃ１５ｃｈ、Ｃ１６ｃｈを得ているので、各妨害波も各出力信号Ｃ１４ｃｈ、Ｃ１５ｃｈ、Ｃ１６ｃｈの周波数範囲内に完全に入っており、各妨害波は元の信号と同一のものである。
【００３１】
従って、これら各妨害波は、元の信号と同一信号であり、かつ各出力信号Ｃ１４ｃｈ、Ｃ１５ｃｈ、Ｃ１６ｃｈに対してマルチパス信号と同様なものとなる。地上デジタル放送信号は、上述したように直交周波数分割多重変調されており、かつマルチパス対策としてガードインターバルが設けられている。従って、このような妨害波が含まれていても、これら地上デジタル放送信号の復調信号には、異なる信号に比べて妨害波の影響は少ない。
【００３２】
図５（ｃ）では、妨害波のレベルが希望波のレベルよりも小さいとして示したが、例えば図５（ｄ）に示すように、入力信号にレベル差があった場合には、中間周波信号、例えば中間周波信号ＩＦ２のレベルが小さく、ＳＡＷフィルタ１６ｂの出力では、下側及び上側隣接残留信号のレベルの方が中間周波信号ＩＦ２よりも大きいような場合がある。この場合に、中間周波信号ＩＦ２を出力信号Ｃ１５ｃｈに周波数変換後にレベルを大きくするように増幅し、その後に出力信号Ｃ１４ｃｈ、Ｃ１６ｃｈと合成すると、図５（ｅ）に示すように出力信号Ｃ１４ｃｈ、Ｃ１６ｃｈにおいて妨害波のレベルが希望波よりも大きくなることがある。このような場合でも、出力信号Ｃ１４ｃｈ、Ｃ１６ｃｈにおいて妨害波の影響を少なくすることができる。
【００３３】
即ち、図６は、ＳＡＷフィルタ２６ａ乃至２６ｃにおける帯域外減衰量（中心周波数±３．２ＭＨｚ以上の周波数帯における）減衰量を変化させて、地上デジタル放送信号を復調した場合におけるビットエラーレートが１Ｅ−４となる希望波と妨害波とのＳＡＷフィルタで帯域制限する前の入力信号のレベル差を表したもので、符号Ａで示すのが、希望波と妨害波とが同一の信号の場合であり、符号Ｂは希望波と妨害波とが異なる信号の場合である。この実施形態と同様に帯域外減衰量を２５ｄＢに設定した場合には、希望波と妨害波とが異なる信号の場合は、Ｄ／Ｕ比は−１２ｄＢであるが、本発明の装置のように希望波と妨害波とが同一の場合には、Ｄ／Ｕ比は−３６ｄＢである。従って、妨害波のレベルが大きくても、その影響を少なくすることができる。
【００３４】
第２の実施形態の地上デジタル放送信号処理装置を図７に示す。この地上デジタル放送処理装置は、入力側ミキサ１２ａ、１２ｂ、１２ｃにそれぞれ個別の入力側局部発振器１４ａ、１４ｂ、１４ｃから局部発振信号が供給され、出力側ミキサ２０ａ、２０ｂ、２０ｃにそれぞれ個別の出力側局部発振器２２ａ、２２ｂ、２２ｃから局部発振信号が供給されている。そして、各入力側ミキサ１２ａ乃至１２ｃからの各中間周波信号ＩＦ１乃至ＩＦ２が、図８に示すようにその中心周波数を５７ＭＨｚとするように、局部発振器１４ａ、１４ｂ、１４ｃの発振周波数が選択され、これら各中間周波信号ＩＦ１乃至ＩＦ３を出力信号Ｃ１４ｃｈ、Ｃ１５ｃｈ、Ｃ１６ｃｈに周波数変換するように、各出力側局部発振器２２ａ乃至２２ｃの局部発振信号の周波数が選択されている。他の構成は、第１の実施形態の地上デジタル放送信号処理装置と同様であるので、同等部分には同一符号を付して、その説明を省略する。
【００３５】
このように構成した場合、各ＳＡＷフィルタ１６ａ乃至１６ｃは、中心周波数が全て５７ＭＨｚである同一の構成のものを使用することができる。なお、この場合、各入力側局部発振器１４ａ、１４ｂ、１４ｃ、各出力側局部発振器２２ａ、２２ｂ、２２ｃは、局部発振信号の周波数変動が少ない高精度のものを使用することが望ましい。
【００３６】
第３の実施形態の地上デジタル放送信号処理装置を図９に示す。この処理装置では、図１０に示すように、地上デジタル放送信号１４ｃｈ、１５ｃｈ、１６ｃｈを直接に地上デジタル放送信号Ｃ１４ｃｈ、Ｃ１５ｃｈ、Ｃ１６ｃｈに周波数変換するものである。そのため、第１の実施形態の地上デジタル放送信号処理装置から、ＳＡＷフィルタ１６ａ乃至１６ｃ、増幅器１８ａ乃至１８ｃ、出力側ミキサ２０ａ乃至２０ｃ、出力側局部発振器２２を除去したものである。他の構成は、第１の実施形態の処理装置と同様に構成されている。なお、局部発振器１４の発振周波数は、地上デジタル放送信号Ｃ１４ｃｈ、Ｃ１５ｃｈ、Ｃ１６ｃｈに周波数変換できるように選択されている。このようにＳＡＷフィルタを使用しなくても、本発明による効果を得ることができる。
【００３７】
第４の実施形態の地上デジタル放送信号処理装置を図１１に示す。この実施形態の処理装置では、周波数変換を行わずに、レベル調整のみを行っている。そのため、図９に示した構成から入力側ミキサ１２ａ乃至１２ｃ及び局部発振器１４が除去されている。この場合、バンドパスフィルタ８ａ、２４ａは同じ通過帯域を持ち、バンドパスフィルタ８ｂ、２４ｂは同じ通過帯域を持ち、バンドパスフィルタ８ｃ、２４ｃは同じ通過帯域を持っている。
【００３８】
第５の実施形態の地上デジタル放送信号処理装置を図１２に示す。この実施の形態では、レベル調整を減衰器２６ａ乃至２６ｃのみで行っている。そのため、減衰器２６ａ乃至２６ｃは、バンドパスフィルタ８ａと２４ａとの間、バンドパスフィルタ８ｂと２４ｂとの間、バンドパスフィルタ８ｃと２４ｃとの間に配置されている。他の構成は第４の実施形態の処理装置と同様である。
【００３９】
第１及び第２の実施形態では、入力される地上デジタル放送信号と、出力される地上デジタル放送信号との周波数帯を異ならせたが、両者を同一の周波数帯とすることもできる。この場合、入力側及び出力側の局部発振器には同一のものを使用することができる。上記の各実施形態では、地上テレビジョン放送信号の数を３波としたが、これに限ったものではなく、その数は任意に増減することができる。また、入力される地上テレビジョン放送信号の周波数帯や出力される地上テレビジョン放送信号の周波数帯も、上記の各実施形態に示したものと異なる周波数帯とすることもできる。
【図面の簡単な説明】
【００４０】
【図１】第１の実施形態の地上デジタル放送信号処理装置のブロック図である。
【図２】図１の処理装置における周波数変換例を示す図である。
【図３】図１の処理装置において使用されているＳＡＷフィルタの特性図である。
【図４】通常の処理装置において使用されているＳＡＷフィルタの特性図である。
【図５】図１の処理装置の各部における信号波形図である。
【図６】図１の処理装置で使用するＳＡＷフィルタにおける帯域外減衰量と地上デジタル放送信号を復調した場合にビットエラーレートが１Ｅ−４となる希望波と妨害波とのレベル差との関係を示す図である。
【図７】本発明の第２の実施形態の地上デジタル放送信号処理装置のブロック図である。
【図８】図７の処理装置における周波数変換例を示す図である。
【図９】本発明の第３の実施形態の地上デジタル放送信号処理装置のブロック図である。
【図１０】図９の処理装置における周波数変換例を示す図である。
【図１１】本発明の第４の実施形態の地上デジタル放送信号処理装置のブロック図である。
【図１２】本発明の第５の実施形態の地上デジタル放送信号処理装置のブロック図である。
【符号の説明】
【００４１】
６ａ乃至６ｃ  周波数変換器
１２ａ乃至１２ｃ  入力側ミキサ
１６ａ乃至１６ｃ  ＳＡＷフィルタ
１８ａ乃至１８ｃ  増幅器（レベル調整手段）
２０ａ乃至２０ｂ  出力側ミキサ
【図１】
2005027241.tif 000003
【図２】
2005027241.tif 000004
【図３】
2005027241.tif 000005
【図４】
2005027241.tif 000006
【図５】
2005027241.tif 000007
【図６】
2005027241.tif 000008
【図７】
2005027241.tif 000009
【図８】
2005027241.tif 000010
【図９】
2005027241.tif 000011
【図１０】
2005027241.tif 000012
【図１１】
2005027241.tif 000013
【図１２】
2005027241.tif 000014